(57)【要約】【課題】本発明の目的は、様々なタイプの梯子に容易に取付け可能で、かつ梯子の上段の高所においても容易に、梯子と近接固定物とをベルトにより緊張して留めることが可能な梯子固定具を提供することである。【解決手段】ベルト類の繰り出し方向の回転のみを阻止できるラチェット機構を具備するリールを組み込んだケース部１と、ケース部１を梯子踏桟（２０，２０ａ）に固定するための固定部材１２とからなることを特徴とする梯子固定具。【選択図】  図１
2006052533.tif 000002
【特許請求の範囲】
【請求項１】
支持部材１０と、
前記支持部材１０上の中央部に固着されるケース部１と、
前記支持部材１０上に設けられ梯子踏桟に固定するための固定部材１２と、を備え、
前記ケース部１内には、ベルト類の繰り出し方向の回転を阻止できるラチェット機構を具備するリール３が組み込まれていることを特徴とする梯子固定具。
【請求項２】
前記支持部材１０が、Ｃ型チャンネル構造部材であって、
前記固定部材が、前記Ｃ型チャンネル構造部材の両端部に設けられて上下の梯子踏桟に固定するものであることを特徴とする請求項１の梯子固定具。
【請求項３】
ベルト類の繰り出し方向の回転を阻止できるラチェット機構を備えるケース部１と、
前記ケース部１の一端に首振り自在に連結され梯子踏桟に固定するための固定部材１２と、
を備え、
前記固定部材１２は、梯子踏桟を両側から挟み込むようにして固定するようにしたことを特徴とする梯子固定具。
【発明の詳細な説明】
【技術分野】
【０００１】
本発明は、建造物、立ち木、電柱など固定対象物などに立て掛けた梯子を倒れないようにベルト類により固定する梯子固定具に関するものである。
【背景技術】
【０００２】
従来から、建造物、立ち木、電柱など固定対象物などに立て掛けた梯子の滑落転倒防止法としては、ロープなどを固定対象物あるいは近接固定物に結びつける方法が簡単であり行われている。しかし、梯子の固定は梯子を登った高い位置で行うことが多く、ロープを抱えながら結ぶことは不安定な姿勢をとらざるを得ないため危険を伴っていた。
【０００３】
そこで、フックを有する紐状体を梯子の踏桟に取り付け、高所において紐状体の他端を鉤形などで引っ掛け固定する梯子などが提案されている。（特開平１０−１０２９６４号公報：特許文献１）
また、梯子の両支柱外側の丸穴開口部を利用してラチェット式に巻いたワイヤーロープを両側に取り付け、屋根の軒先にクランプなどを利用して固定する方法が提案されている。（特開２００１−２５４５８２号公報：特許文献２）  
【特許文献１】特開２００１−２５４５８２号公報
【特許文献２】特開平１０−１０２９６４号公報
【発明の開示】
【発明が解決しようとする課題】
【０００４】
しかしながら、特許文献１のフックを有する紐状体を梯子の踏桟に取り付ける方法では、梯子を固定して留めるためには紐を緊張する必要があるが、この紐を緊張させる作業を梯子の高所において力を込めて行うことは依然として危険な作業であった。特許文献２のラチェット式リールに巻きつけたワイヤーロープを使用する方法では、紐を緊張させること自体は容易であるが、常にラチェット式リールドラムの２セットを用いて、梯子支柱の両サイドに固定する不便さがあった。
【０００５】
さらに、該リールを梯子の２つの支柱の両側面に固定するにあたって、両外側面にある梯子踏桟の取付けパイプ穴を利用するものであるが、この外面パイプ穴の形状は梯子において一般に同型ではなく大小、形状において様々である。また、梯子にはこのような外側面パイプ穴が無いものも多い。そこで、大方の梯子に危険作業を伴わず容易にセット出来る簡便な梯子固定具が待望されていた。
【０００６】
そこで、本発明の目的は様々なタイプの梯子に容易に取付け可能で、かつ梯子の上段の高所においても、容易に梯子と近接固定物とをベルトにより緊張して留めることが可能な梯子固定具を提供することである。
【課題を解決するための手段】
【０００７】
請求項１の梯子固定具は、支持部材１０と、前記支持部材１０上の中央部に固着されるケース部１と、前記支持部材１０上に設けられ梯子踏桟に固定するための固定部材１２と、を備え、前記ケース部１内には、ベルト類の繰り出し方向の回転を阻止できるラチェット機構を具備するリール３が組み込まれていることを特徴とする。
【０００８】
請求項２の梯子固定具は、前記支持部材１０が、Ｃ型チャンネル構造部材であって、
前記固定部材が、前記Ｃ型チャンネル構造部材の両端部に設けられて上下の梯子踏桟に固定するものであることを特徴とする。
【０００９】
請求項３の梯子固定具は、ベルト類の繰り出し方向の回転を阻止できるラチェット機構を備えるケース部１と、前記ケース部１の一端に首振り自在に連結され梯子踏桟に固定するための固定部材１２と、を備え、前記固定部材１２は、梯子踏桟を両側から挟み込むようにして固定するようにしたことを特徴とする。
【発明の効果】
【００１０】
請求項１の梯子固定具は、ベルト類の繰り出し方向の回転を阻止できるラチェット機構を具備するリールを組み込んだケース部を、梯子の踏桟を利用することによりに簡便に取付けることが出来る。ベルト類の繰り出し方向の回転を阻止できるラチェット機構を具備するリールを組み込んだケース部を、梯子には必ず存在する踏桟を利用することにより容易に梯子を固定対象物に固定することが出来る。梯子上での固定作業は高所であるから、簡便で力を要しないことが安全上最も重視される。
【００１１】
請求項２の梯子固定具は、リールを組み込んだケース部を支持部材としてのＣ型チャンネル構造部材の両端に配設した固定部材により、梯子の上下２本の踏桟間に架設するように固定するものである。２本の踏桟に架設固定される構造となっているので、梯子を梯子固定具により確実に固定することができる。
【００１２】
請求項３の梯子固定具は、ケース部の支持ボルト軸を通して連結されているから、ケース部の動きが繰り出されたベルトの方向に合わせて追随でき、ケース部本体とベルト間の捩れ応力が軽減される。
【発明を実施するための最良の形態】
【００１３】
次に本発明の梯子固定具について、実施の形態により詳細に説明する。
図１は、本発明の梯子固定具の実施の形態１の構造を示す斜視図である。
図２は、図１の斜視図において片サドルを蝶ボルトで取付ける部分のＺ−Ｚ’断面図である。
図３は、実施の形態１の固定具により、梯子上部を固定対象物に固定する斜視図である。
図４は、本発明の梯子固定具の実施の形態２の構造を示す斜視図である。
図５は、実施の形態２の梯子固定具により、梯子上部を固定対象物に固定する斜視図である。
図６は、実施の形態１の梯子固定具を２台用いて、梯子を固定対象物に固定する斜視図である。
図７は、実施の形態１及び２の梯子固定具により、梯子を固定対象物に固定する斜視図である。
【００１４】
（実施の形態１）
本発明の実施の形態１の梯子固定具Ｘは、図１に示すように、ケース部とラチェット機構を有し、ケース部１内にはベルト類２を繰り出し・巻取りするためのリール３と、その側面に同軸回転するラチェットホイール４が組み込まれている。このラチェットホイール４の外周歯に回転阻止するように噛みこむための爪部を有するラチェットレバー５が繰り出し方向側に配設されている。
このラチェットレバー５はケース部側面壁間に架設された支持ボルト軸６ａを芯軸として傾転できるようになっている。
ここでベルト類とは、テープ状の平たいベルトや、ロープなど引っ張り強度の高い紐状体のものを指し、リールに渦巻状に巻取り可能なものをいう。
また、本発明で使用されるラチェット機構とは、一般にレンチスパナ、釣り用リールなどに用いられている一方向の回転をラチェットレバー先端の爪部により阻止できるものである。
このラチェット機構を有するリールにおいては、ラチェット先端の爪部がリールの側面円板外周の歯の谷部にスプリングにより付勢して押し付けた状態では、リールは一方向にしか回転できないが、ラチェットレバーを浮かした状態ではリールは両方向に回転できる。
【００１５】
すなわち、このようなラチェット機構を有するリールに巻かれたベルト類は、ベルト類をケース部から引き出すときは、ラチェットレバーにより爪部を一時的に歯車に接触しないように浮かし、抵抗無く引き出すことが出来る。次に、ベルトの先端を対象物に係合した後、ベルト類を緊張するにはラチェットレバーを元に戻してスプリングにより爪部を円板外周の歯に押し付ける状態とする。リールは歯に噛みこんだ爪部により逆戻りが阻止された状態を保ちつつ、ベルト類を巻き込む方向にしか回転しないので緊張状態を作り出すことが出来る。
【００１６】
ラチェットレバー５をＡ方向に下げると、ラチェットホイール４の外周歯に噛みこんでいた爪部による回転阻止が解除されベルト２は自由に繰り出される。繰り出され対象物との係合が済んだベルト２を緊張させるときはラチェットレバー５を元に戻し、ハンドル７によりベルトを巻き戻す。ラチェットホイール４は巻き戻し方向への回転は爪部により阻止される状態となっているので、巻き取った任意の回転位置でベルト２は固定され緊張状態を達成することが出来る。
ベルト２の先端には、梯子を固定する対象物にベルトを係合し留めるためのフック２ａが取付けてある。ケース部１内部の両側面間に架設された支持ボルト軸６ａ、６ｂ、６ｃ、６ｄ、６ｅ、６ｆは、いずれもケース部の構造を強化する役割を持っているが、６ｅ、６ｆはベルト２の繰り出し・巻取りのガイドともなっている。
【００１７】
次に、上記ラチェット機構によりベルト２を組み込んだケース部１を、梯子の上下隣接する２本の踏桟に取付けるための構造について説明する。
梯子の上下隣接する２本の踏桟の間隔長さとほぼ同じＣ型チャンネル構造部材１０の長手方向中央部にケース部１が固着されている。このＣ型チャンネル構造部材１０の両端部にはそれぞれ縦長穴１１が設けられ、それぞれに固定部材である片サドル１２が蝶ボルト１３と四角ナット１４により固定自在に配設されている。片サドル１２は、縦長穴内をスライドできるため上下隣接する２本の踏桟の間隔長さに合わせてセット固定できる。四角ナット１４は、使用時においてはＣ型チャンネル構造部材１０の内方折り曲げ部分１０ａの内部に抱え込まれるようにセットされているが、図１においては下方に中心軸を合わせて取り出されたように描かれている。
【００１８】
図２は、図１の斜視図において片サドル１２をＣ型チャンネル構造部材１０に蝶ボルトで取付ける部分のＺ−Ｚ’断面図である。
図２（ａ）に示すように、蝶ボルト１３と四角ナット１４により、片サドル１２はＣ型チャンネル構造部材の上面に取付けられる。
蝶ボルト１３により、片サドル１２を締め付け回転させるとき、四角ナット１４はＣ型チャンネル構造部材１０の下部は内方折り曲げ部分１０ａに抱え込まれているので、蝶ボルト１３の巻き締め回転に連動することはなく、片サドル１２は確実に固定される。
なお、図２（ｂ）に示すように、四角ナット１４を省略することもできる。
【００１９】
図３は、実施の形態１の梯子固定具Ｘにより、梯子上部を高所にある固定対象物３０に固定した状態を示す斜視図である。
梯子固定具Ｘは、Ｃ型チャンネル構造部材１０の両端に配設された固定部材である片サドル１２により、梯子の上下隣接する２本の踏桟２０，２０ａに固定されている。
ケース部１から繰り出されたベルト２は固定対象物３０に巻きつけた後、フック２ａにより留められている。
【００２０】
（実施の形態２）
図４は、実施の形態２の梯子固定具Ｙを示す。梯子固定具Ｙは、ベルト２、リール３、ラチェットホイール４などを組み込んだケース部１を、梯子踏桟に取付けるために、重ね合わせた１対の片サドル（固定部材）１２ａ、１２ｂにあけられた連結穴１２ｃにより、ケース部１内の連結支持ボルト軸６ｇと連結させた構造としたものである。１対の湾曲した片サドル部分の間に踏桟を挟んだ後、アイボルト１３ａと六角ナット１４ａにより、締め付け固定する。連結穴１２ｃの穴径は、遊びを持つように連結支持ボルト軸６ｇの外径よりを大きくとってあるので、ケース部１は、連結された片サドルと自由な角度をとることができる。
【００２１】
実施の形態の梯子固定具Ｙでは、一方の片サドル１２ａ（図中上面側）の湾曲部近傍部分１２ｄが、連結穴近傍のフラット部分１２ｅより段差ｈだけ高くなっている。さらに、この一対の片サドルにはサドル縦長穴１１ａが設けられている。
図４では、アイボルト１３ａは踏桟に締め付けた状態を示しているが、締め付けを解除するときは、アイボルト１３ａを縦長穴１１ａ内を動きうる程度に僅かに緩めＢ方向に移動させ、段差ｈを通過させ、フラット部分１２ｅに移行させるだけで、段差ｈだけ片サドル１２ａを上部に浮かすことが可能になり、サドルを踏桟から容易に取り外すことができる。
【００２２】
このアイボルト１３ａの締め付け・解除代を短縮できることは、梯子の高所において梯子固定作業が容易になる。別の実施の態様として、片サドル１２ａに設けた段差ｈを下部サドル１２ｂ側にも設けることにより、アイボルトの締め付け・解除代を短縮できるとともに、１対の片サドルの開放長さが大きく取れるため、容易に踏桟から本発明の梯子固定具を離脱させることができる。
実施の形態２では、片サドルの締め付け固定用にアイボルト１３ａを示したが実施の形態１で説明した蝶ボルトに代えてもよい。
【００２３】
図５は、実施の形態２の梯子固定具Ｙにより、梯子上部を固定対象物３０に固定した状態を示す斜視図である。梯子固定具Ｙは、１本の踏桟２０ａに固定されている。ケース部から繰り出されたベルト２を固定対象物３０に巻きつけた後、ケース部内のボルト軸にフック２ａにより留められている。１対の片サドル１２ｂ、１２ｃは、１本の踏桟に対して上、水平、下のいずれにも向けても自由にセット固定できるから、固定対象の上下位置に応じてベルトを容易に繰り出すことが出来る。
【００２４】
図６は、実施の形態１の梯子固定具Ｘを２台用いて、梯子を固定対象物３０に固定する様子を示す斜視図である。
図７は、実施の形態１の梯子固定具Ｘ及び実施の形態２の梯子固定具Ｙにより、梯子を固定対象物３０に固定する様子を示す斜視図である。
いずれも、２台の梯子固定具を用いることによって、梯子の安定性がより高まる。
【産業上の利用可能性】
【００２５】
ベルト類を繰り出し、および繰り出し阻止できるラチェット機構を具備するリールを梯子の踏桟に簡単な構造で容易に取付け可能であり、梯子の高所において力を要せず安全に梯子を周囲の固定物に留めることが出来る。
【図面の簡単な説明】
【００２６】
【図１】本発明の梯子固定具の実施の形態１の構造を示す斜視図である。
【図２】図１の斜視図において片サドルを蝶ボルトで取付ける部分のＺ−Ｚ’断面図である。
【図３】実施の形態１の固定具により、梯子上部を固定対象物に固定した状態を示す斜視図である。
【図４】本発明の梯子固定具の実施形態２の構造を示す斜視図である。
【図５】実施の形態２の固定具により、梯子上部を固定対象物に固定した状態を示す斜視図である。
【図６】実施の形態１の梯子固定具Ｘを２台用いて、梯子を固定対象物に固定する様子を示す斜視図である。
【図７】実施の形態１の梯子固定具Ｘ及び実施の形態２の梯子固定具Ｙにより、梯子を固定対象物に固定する様子を示す斜視図である。
【符号の説明】
【００２７】
Ａ      ラチェットレバーの解除方向
Ｂ      アイボルトの締め付け解除移動方向
ｈ      片サドルの湾曲部近傍部分の段差
Ｘ，Ｙ   梯子固定具
１      ケース部
２      ベルト
２ａ    フック（ベルト先端）
３      リール
４      ラチェットホイール
５      ラチェットレバー
６ａ    支持ボルト軸（ラチェットレバー傾動芯）
６ｂ、６ｃ、６ｄ、支持ボルト軸（ケース部補強用）
６ｅ、６ｆ      支持ボルト軸（ベルトガイド用）
６ｇ    連結ボルト軸
７      ハンドル
１０    Ｃ型チャンネル構造部材（支持部材）
１０ａ  Ｃ型チャンネル構造部材の内方折り曲げ部分
１１    縦長穴
１１ａ  １対の片サドル縦長穴
１２    片サドル（固定部材）
１２ａ、１２ｂ  一対の片サドル（固定部材）
１２ｃ  連結穴  
１２ｄ  片サドル１２ａの湾曲部近傍部分
１３    蝶ボルト
１３ａ  アイボルト
１４    四角ナット
２０    梯子踏桟（上）
２０ａ  梯子踏桟（下）
３０    固定対象物
【図１】
2006052533.tif 000003
【図２】
2006052533.tif 000004
【図３】
2006052533.tif 000005
【図４】
2006052533.tif 000006
【図５】
2006052533.tif 000007
【図６】
2006052533.tif 000008
【図７】
2006052533.tif 000009